(57)【特許請求の範囲】
【請求項１】
通気性を有する外側袋体と、
前記外側袋体内に収納され、非通気性を有する内側袋体と、
前記内側袋体内に収納される内容物と、を備え
前記内側袋体には、開封手段が設けられ、
前記外側袋体には、前記開封手段の少なくとも一部を前記外側袋体の外表面に露呈させ
る開口部が設けられており、
前記開封手段は、前記内側袋体に接続される紐体と、
前記内側袋体の表面に設けられるミシン目と、を有し、
前記内側袋体は、方形状に形成され、
前記ミシン目は、前記内側袋体の辺に沿って設けられ、
前記ミシン目によって開封される開封箇所は、前記内容物の組成の発散方向に対応して
おり、
前記紐体が引っ張られることで、前記ミシン目に沿って前記内側袋体が開封されること
を特徴とする、袋体。
【請求項２】
前記内側袋体は、
前記内容物が収納される収納部と、
前記収納部を封緘する封緘部と、をさらに備え、
前記収納部と前記封緘部とは、前記ミシン目によって区画されており、
前記封緘部は、前記ミシン目に沿って折り返されていることを特徴とする、請求項１に記載の袋体。
【請求項３】
前記開封手段は、前記紐体の引張方向を転換させるガイド部をさらに備え、
前記ガイド部は、前記外側袋体の前記開口部に設けられていることを特徴とする、請求項１又は請求項２に記載の袋体。
【請求項４】
前記内容物は、フェトンチッドを含む樹木のオガ屑であることを特徴とする、請求項１〜３の何れかに記載の袋体。
【請求項５】
前記内容物は、芳香剤、消臭剤、防虫剤、除湿剤、脱酸素剤から選ばれる少なくとも何れか１つであることを特徴とする、請求項１〜３の何れかに記載の袋体。
【発明の詳細な説明】
【技術分野】
【０００１】
本発明は、芳香剤等の内容物が収納された袋体に係わり、特に、袋体を使用する際に、十分な量の内容物の組成を発散させることができる袋体に関するものである。
【背景技術】
【０００２】
ハーブ類などの薬草や森林樹木及びその樹葉には、多数の芳香を発する精油成分（フェトンチッド）が含まれている。これらのフェトンチッドは、リフレッシュ作用、消臭・脱臭作用、抗菌・防虫作用、空気浄化作用、酸化防止作用、等の様々な効能を有することが知られており、古くから利用されてきた。
【０００３】
フィトンチッドは、揮発性を有しており、樹木の場合は幹や樹葉から発散されている。このフェトンチッドの発散は、樹木を加工した後にも継続して行われるが、時間の経過とともに、香りは消失して、フェトンチッドの効果はなくなってしまう。
【０００４】
ところで、建築材料として用いられる樹木は、加工を行う際に大量のオガ屑（樹木の細片、木屑および鉋屑）が発生する。このようなオガ屑は、上記効能を有したフェトンチッドを大量に含んでいるにも拘らず、そのまま捨てられたり、燃料として燃やされていた。そのため、オガ屑に含まれるフェトンチッドは有効に利用されていなかった。
【０００５】
このような状況に鑑み、特許文献１には「フィトンチッドを発散する樹木の細片を乾燥し、通気性を有する不織布からなる袋に詰め、該袋を布製のカバ−の中に装着してなることを特徴とする安眠枕」の技術が記載されている。このように、樹木の細片を枕の中綿として再利用することで、樹木に含まれるフェトンチッドを有効に利用する技術が提案されている。
【先行技術文献】
【特許文献】
【０００６】
【特許文献１】実用登録新案第３０３３０１８号公報
【発明の概要】
【発明が解決しようとする課題】
【０００７】
ところで、樹木のオガ屑は、見た目が悪いことに加え、まとまりがなく取扱いが難しい。そのため、特許文献１のように、袋体等に収納されていることが望ましい。特に、ホテル等の外泊先において、ホテルの利用者等が消臭やリラックスする目的でオガ屑を使用する場合には、見栄えの良い袋体にオガ屑を収納しておくことで、気持ちよく使用することができる。
【０００８】
しかしながら、特許文献１のように、オガ屑を単に通気性袋体に収納しただけでは、製造時から空気中へフィトンチッドの発散（揮発）が開始されてしまう。そのため、利用者の使用時には袋体内のフィトンチッドの残存量が少なくなり、十分な効果が発揮されないという問題がある。
【０００９】
本発明は、かかる実情に鑑み、内容物を見栄えよく収納することができ、袋体を使用する際に、十分な量の内容物の組成を発散させることができる袋体を提供することを課題とする。
【課題を解決するための手段】
【００１０】
上記課題を解決するため、本発明に係る袋体は、通気性を有する外側袋体と、前記外側袋体内に収納され、非通気性を有する内側袋体と、前記内側袋体内に収納される内容物と、を備えることを特徴とする。
【００１１】
このように、内容物が非通気性の内側袋体内に密閉して保存されていることで、内容物の組成が発散してしまうことを防ぐことができる。そのため、袋体の製造時期にかかわらず、内側袋体を開封した時に、十分な量の内容物の組成を発散させることができる。
【００１２】
また、このように、内容物と内側袋体が、外側袋体の内部に収納されていることにより、内側袋体を開封した場合であっても、内容物が外部に飛出すことがない。そのため、内容物の見た目が悪い場合や取扱いが難しい場合であっても、見栄えよく容易に取り扱うことができる。
【００１３】
本発明の好ましい形態では、前記内側袋体には、開封手段が設けられ、前記外側袋体には、前記開封手段の少なくとも一部を前記外側袋体の外表面に露呈させる開口部が設けられていることを特徴とする。
このように、外側袋体の外部に開封手段の一部が露出していることにより、外側袋体を開封することなく、内側袋体を開封させることができる。そのため、利用者が袋体を利用したい時に容易に開封して、内容物の組成の発散を開始させることができる。
【００１４】
本発明の好ましい形態では、前記開封手段は、前記内側袋体に接続される紐体と、前記内側袋体の表面に設けられるミシン目と、を備え、前記紐体が引っ張られることで、前記ミシン目に沿って前記内側袋体が開封されることを特徴とする。
このような構成とすることで、袋体の利用者は紐体を引っ張るだけで、容易に内側袋体を開封することができる。
【００１５】
本発明の好ましい形態では、前記開封手段は、前記紐体の引張方向を転換させるガイド部をさらに備え、前記ガイド部は、前記外側袋体の前記開口部に設けられていることを特徴とする。
このように、ガイド部を設けて、紐体の引張方向を転換させることによって、子供や老人等の弱い力でも、容易に内側袋体を開封することができる。
【００１６】
本発明の好ましい形態では、前記内容物は、フェトンチッドを含む樹木のオガ屑であることを特徴とする。
このように、内容物にオガ屑を使用する場合には、オガ屑の容積に対して表面積の割合が大きく形成されているため、細片に含まれているフィトンチッドを有効に発散させることができる。
【００１７】
本発明の好ましい形態では、前記内容物は、芳香剤、消臭剤、防虫剤、除湿剤、脱酸素剤、から選ばれる少なくとも何れか１つであることを特徴とする。
本発明は、このように様々な内容物に対しても適用することができる。
【発明の効果】
【００１８】
本発明によれば、内容物を見栄えよく収納することができ、利用者が袋体を使用する時に、十分な量の内容物の組成を発散させることができる袋体を提供することができる。
【図面の簡単な説明】
【００１９】
【図１】本発明の一実施形態に係る袋体の構成を示している。
【図２】本発明の一実施形態に係る袋体の内側袋体及び内容物を示しており、（ａ）は内容物が内側袋体に収納される様子を、（ｂ）は開封手段が取り付けられる様子を示している。
【図３】本発明の一実施形態に係る袋体が開封される様子を示しており、（ａ）は開封前の様子を、（ｂ）は開封中の様子を示している。
【図４】本発明の一実施形態に係る袋体の使用例を示しており、（ａ）は外側袋体の形状を魚形状に形成した例を示し、（ｂ）は靴の消臭剤として利用している様子を示している。
【発明を実施するための形態】
【００２０】
以下、本発明を図面に示した好ましい一実施形態について詳細に説明する。本発明の技術的範囲は、添付図面に示された実施形態に限定されるものではなく、特許請求の範囲に記載された範囲内において、適宜変更が可能である。
【００２１】
図１は、本発明に係る袋体１０を示している。この袋体１０は、通気性を有する外側袋体１１と、非通気性を有する内側袋体１２と、組成を発散する内容物１３と、内側袋体に設けられる開封手段１４と、を備えている。
【００２２】
外側袋体１１は、望ましくは、紙、不織布、織布、通気性フィルム等の通気性を有する材料で形成される。しかしながら、非通気性の材料であっても、微細孔等が設けられて通気性を発現できるものであれば、外側袋体１１として当然に用いることができる。
この外側袋体１１の表面には、任意の模様や色彩等を施すことができ、袋体１０の利用者が心地よく使用できるように、見栄え良く形成されていることが望ましい。
【００２３】
また、外側袋体１１の形状は、目的や用途によって自由に設定することができる。図１においては、外側袋体１１を長方形状に形成した例を示しているが、これに限定されるものではなく、円形状や多角形状、さらには立体形状を採用しても良い。例えば、図４に示すように、靴内に収納する消臭剤として利用する場合には、十数ｃｍ程度の長さを有する円柱状に形成すればよい。
【００２４】
また、外側袋体１１には、ファスナー１１ａと、開口部１１ｂとが設けられている。
このファスナー１１ａが設けられていることにより、外側袋体１１を容易に開けることができ、内容物１３の組成の発散が終わった時に、内側袋体１２を交換することができるよう構成されている。また、ファスナー１１ａの代わりに、面ファスナーやボタン等を用いても良い。
開口部１１ｂは、内容物１３が外側袋体１１の外部に排出されない大きさに形成されており、内容物１３の大きさにもよるが、１ｍｍ〜１０ｍｍの大きさを有している。
【００２５】
図１におけるファスナー１１ａ及び開口部１１ｂが設けられる位置は、外側袋体１１の長さ方向に平行な中心線上に取り付けられているが、これに限定されるものではなく、任意の位置に設けることができる。
また、ファスナー１１ａの取付け方によっては、ファスナー１１ａの両端または一端に隙間が形成される。このファスナー１１ａの金具と外側袋体１１布との間に生じた間隙を開口部１１ｂとして利用しても良い。
【００２６】
内側袋体１２は、非通気性を有する材料で形成されており、外側袋体１１の内部に収納可能な大きさに形成されている。この非通気性を有する材料としては、例えば、ポリエチレン、ポリアミド、ポリプロピレン、ナイロン、等を使用することができる。この他にも、周知又は慣用の非通気性材料であれば、当然に適用することができる。
【００２７】
図２は、内容物１３が内側袋体１２に収納される様子が示されている。内側袋体１２は、内容物１３が収納される収納部１２ａと、内側袋体１２を封緘する封緘部１２ｂと、ミシン目１２ｃと、接着テープ１２ｄと、を備えている。
以下、内側袋体１２の長手方向の開口部Ｏ側を上、底部Ｂ側を下として説明する。
【００２８】
図２に示すように、収納部１２ａと封緘部１２ｂとは、ミシン目１２ｃによって区画されている。内側袋体１２を封緘する場合には、図２（ｂ）に示すように、封緘部１２ｂが谷折り線Ｔ（ミシン目１２ｃ）で折り返される。そして、収納部１２ａと封緘部１２ｂとを接着テープ１２ｄによって接着して固定することで内側袋体１２は封緘される。
【００２９】
ここで、ミシン目１２ｃは、内側袋体１２の開口部Ｏよりも下の位置に設けられている。そのため、内側袋体１２が封緘される際、開口部Ｏよりも下の位置で折り返されることで、開口部Ｏから収納部１２ａへ通じていた気道が遮断され、収納部１２ａを密閉して封緘することができる。
また、図１ないし図３には、１本のミシン目１２ｃが設けられている様子を示しているが、より容易に開封することができるように２本以上のミシン目１２ｃを設けても良い。
【００３０】
さらに、接着テープ１２ｄは、封緘部１２ｂの開口部Ｏよりも上の位置に設けられている。そのため、封緘部１２ｂを折り返した際には、開口部Ｏを塞ぎながら収納部１２ａの外側表面に接着できるよう構成されている。
【００３１】
内容物１３としては、好ましくはフェトンチッドを含む樹木のオガ屑が用いられるが、組成を発散する固形物であれば当然に用いることができる。例えば、周知又は慣用の芳香剤、消臭剤、防虫剤、除湿剤、脱酸素剤、であれば本発明に係る袋体１０に適用することができる。
【００３２】
また、内容物１３が細かい粉体等である場合には、内容物１３が外側袋体１１から漏れ出してしまうことの無いよう、粉体等を通さない通気性を有する袋体に収納しておくことが望ましい。こうすることで、内容物１３に細かい粉体等を用いる場合であっても、内容物１３を漏らすことなく袋体１０を使用することができる。
【００３３】
開封手段１４は、紐体１４ａと、ガイド部１４ｂを有している。紐体１４ａは、図２（ｂ）に示すように、封緘部１２ｂを折り返す際に、谷折り線Ｔ（ミシン目１２ｃ）に沿うように、かつ、収納部１２ａと封緘部１２ｂとによって挟まれるように取り付けられる。そのため、この紐体１４ａは、ミシン目１４ｃの周囲に沿って輪を形成するように設けられる。
また、紐体１４ａの一部の色を変更したり、紐体１４ａの一部に紙片等を設け、色や文字、記号、といった印を付けて、他のものと識別できるようにすることで、くじ引きとして利用することもできる。
【００３４】
ガイド部１４ｂは、円筒状に形成され、紐体１４ａの両端の２本が挿入されている。また、このガイド部１４ｂは、図１ないし図３においては、円筒状に形成されたものを示しているが、２本の紐体１４ａを１ヵ所から引くことができればよく、その形状や形態は特に限定されない。例えば、外側袋体１１に設けられた開口部１１ｂをガイド部１４ｂとして機能させることも可能である。
【００３５】
次に、この袋体１０の開封方法について、図３を用いて詳細に説明する。
図３（ａ）は、図２の内側袋体１２及び内容物１３が、外側袋体１１の内部に収納された様子を示している。紐体１４ａの一部は、外側袋体１１の内側から開口部１１ｂに挿通され、外側袋体１１の外部に露呈されている。この時、ガイド部１４ｂは開口部１１ｂ付近に固定されることが望ましい。
【００３６】
図３（ｂ）は、外側袋体１１の開口部１１ｂから露呈された紐体１４ａを引っ張ることで、内側袋体１３が開封される様子を示している。上方向に引っ張られた紐体１４ａは、ガイド部１４ｂによって引張方向が転換され、ミシン目１２ｃの両端からガイド部１４ｂの方向に向かって力が加わる。この力によって、ミシン目１２ｃが両端から破れ、紐体１４ａの輪がどんどん狭まって、最終的にミシン目１２ｃに沿って内側袋体１３が完全に開封される。また、図３には示されていないが、内側袋体１３が完全に開封されると、紐体１２ｃは外部に排出される。
【００３７】
また、封緘した内側袋体１２の開封時には、内側袋体１２の開口部Ｏ周辺にたわみが生じてしまうことにより、ミシン目１２ｃの両端にかかる力が軽減されてしまう。そのため、図１に示すように、封緘した内側袋体１２のミシン目１２ｃの下部に固定手段１５を設けることによって、開口部Ｏ周辺がたわんでしまうことを抑制することが望ましい。
この固定手段１５としては、ホッチキスや接着テープ、シーラーによる熱接着等を用いることができる。
【００３８】
開封された内側袋体１２は、開封箇所から内容物１３の組成を発散させることができる。また、この内側袋体１２においては、一方向のみが開封されるため、組成の発散方向を選択することができる。
【００３９】
図４は、袋体１０の使用例を示す図である。例えば、袋体１０を靴の消臭・脱臭を目的として使用する場合には、靴内に着脱しやすいよう略円柱状に形成することが望ましい。
また、図４（ａ）は外側袋体１１を魚形状に形成した例を示している。このように、外側袋体１１の形状は自由に設定することができる。
【００４０】
また、図４（ｂ）に示すように、袋体１０を靴内に挿入する場合には、内側袋体１２の開封箇所を靴のつま先に向けて挿入することが望ましい。
このように、臭いが残りやすい靴のつま先に向けて内容物１３の組成を発散させることで、より効果的に組成の消臭・脱臭効果を作用させることができる。
【００４１】
本発明によれば、内側袋体１２に内容物１３を密閉させて収納することで、内容物１３の組成が発散してしまうのを防ぐことができる。そのため、袋体１０の利用者が内容物１３の効果を発揮させたい時に内側袋体１３を開封することで、十分に保持された組成の発散を開始させることができる。
【００４２】
また、本発明によれば、この内容物１３と内側袋体１２が、外側袋体１１の中に収納されていることにより、内容物１３の見た目が悪い場合や取扱いが難しい場合であっても、見栄えよく容易に取り扱うことができる。
【００４３】
また、本発明によれば、開封手段１４である紐体１４ａの一部が、外側袋体１１の外部に露出している。そのため、袋体１０の利用者は、外側袋体１１を開封することなく、紐体１４ａを引っ張るだけで容易に内側袋体１２を開封して、内容物１３の組成の発散を開始させることができる。
【００４４】
また、本発明によれば、紐体１４ａがミシン目１２ｃの周囲に設けられ、紐体ａの途中にガイド部１４ｂを設けることによって、紐体１４ａを引っ張った際の力をミシン目１２ｃの両端からガイド部１４ｂの方向に向かって力を加えることができる。
このように、ガイド部１４ｂを支点として、ミシン目１２ｃの両端からミシン目１２ｃの中点の方向に向かって力を作用させることにより、ミシン目１２ｃを容易に破断させることができる。そのため、力の弱い老人や子供であっても、容易に内側袋体１２を開封することが可能となっている。
【００４５】
また、本発明によれば、封緘後の内側袋体１２のミシン目１２ｃの下部に固定手段１５をさらに設けることにより、紐体１４ａを引っ張ってミシン目１２ｃの両端に力が加わった際に、この内側袋体１２の開口部Ｏ周辺がたわんでしまうことを抑制することができる。
このように、開口部Ｏ周辺のたわみを抑制することにより、紐体１４ａを引っ張った際の力をミシン目１２ｃの両端に効率よく作用させることができ、さらに容易にミシン目１２ｃを破断させて、内側袋体１２を開封することができる。
さらに、この固定手段１５を設けることによって、紐体１４ａの位置をミシン目１２ｃに沿って密着させることができるため、より確実に紐体１４ａの力をミシン目１２ｃに伝達させることができる。
【００４６】
また、本発明によれば、袋体１０の開封時には、紐体１４ａが排出されるよう構成されていることにより、紐体１４ａの有無によって、袋体１０の使用状況を容易に把握することができる。すなわち、袋体１０が未開封の場合には、紐体１４ａが外部に露出しており、開封済みの場合には、紐体１４ａが存在しない状態となっている。
【００４７】
また、本発明によれば、内容物１３が、フェトンチッドを含む樹木の細片やオガ屑であることにより、フィトンチッドを効率良く発散させることができる。すなわち、オガ屑は、容積に対して表面積の割合が大きいため、単位時間あたりに発散するフェトンチッドの量を増加させることができ、さらに、オガ屑内に存在するフィトンチッドを残留させることなく発散させることができる。
【００４８】
また、本発明によれば、従来はそのまま棄てられていた、オガ屑を再利用することができるので、天然資源の有効活用に寄与することができる。
【００４９】
また、本発明によれば、内側袋体１２の一方向のみが開封されていることにより、内容物の組成の発散方向を選択することができる。そのため、靴の内部のように、局所的に集中して内容物の組成を供給したい場合には、開封した方向を向けることで効率良く組成の効果を作用させることができる。
【００５０】
本発明の袋体は、袋体１０に封入する内容物１３により様々な用途に用いることができる。例えば、除湿剤、消臭剤、芳香剤、脱酸素剤などを封入する用途においても好ましく用いることができる。また、発熱体を封入する場合には、使い捨てカイロ用途としても用いることができる。
【００５１】
なお、実施形態における開封手段１４としては、１つの紐体１４ａを引っ張る例を示したが、複数の紐体１４ａを用いてもよい。さらに、内側袋体１２の複数方向が開封されるよう構成しても良く、外側袋体１１の中に内側袋体１２を複数個収納するようにしてもよい。
【００５２】
また、開封手段１４としては、必ずしも紐体１４ａを用いる必要はなく、外側袋体１１を開封することなく内側袋体１２を開封させる方法であれば、当然に適用することができる。例えば、紐体１４ａの代わりに、内側袋体１２の開口部Ｏを塞ぐシール部材や、棒状の開封部材を採用しても良いし、圧力を加えることによって内側袋体１２を破裂させるようにしても良い。
【符号の説明】
【００５３】
１０      袋体
１１      外側袋体
１１ａ    ファスナー
１１ｂ    開口部
１２      内側袋体
１２ａ    収納部
１２ｂ    封緘部
１２ｃ    ミシン目
１２ｄ    接着テープ
１３      内容物
１４      開封手段
１４ａ    紐体
１４ｂ    ガイド部
１５      固定手段
【要約】
【課題】
内容物を見栄えよく収納することができ、利用者が袋体を使用する際に、十分な量の内容物の組成を発散させることができる袋体を提供することを課題とする。
【解決手段】
通気性を有する外側袋体１１と、前記外側袋体１１内に収納され、非通気性を有する内側袋体１２と、前記内側袋体１２内に収納される内容物１３と、を備え、前記内側袋体１２には、開封手段１４が設けられ、前記外側袋体１１には、前記開封手段１４の少なくとも一部を前記外側袋体１１の外表面に露呈させる開口部１１ｂが設けられていることを特徴とする。このような構成とすることにより、利用者が袋体１０を使用する際に、十分な量の内容物１３の組成を発散させることができる
【選択図】図１【図１】
0005982609.tif 000002
【図２】
0005982609.tif 000003
【図３】
0005982609.tif 000004
【図４】
0005982609.tif 000005